(57)【要約】【課題】複数台の室内機が接続されている共通のリモコンにより、複数台の室内機を適宜ローテーション運転することができる空調システムを提供することを目的とする。【解決手段】複数台の室内機が設置され、その複数台の室内機が１の共通モコン６，６Ａによって運転制御される空調システムにおいて、前記リモコン６，６Ａに、複数台の前記室内機を所定運転時間毎に順次ローテーション運転するローテーション運転制御部８が設けられている。【選択図】図５
2013160477.tif 000002
【特許請求の範囲】
【請求項１】
複数台の室内機が設置され、その複数台の室内機が１の共通リモコンによって運転制御される空調システムにおいて、
前記リモコンに、複数台の前記室内機を所定運転時間毎に順次ローテーション運転するローテーション運転制御部が設けられていることを特徴とする空調システム。
【請求項２】
前記ローテーション運転制御部は、設定された台数の前記室内機が交互にローテーション可能とされていることを特徴とする請求項１に記載の空調システム。
【請求項３】
前記ローテーション運転制御部は、前記ローテーション運転される前記室内機の最小運転台数が設定可能とされていることを特徴とする請求項１に記載の空調システム。
【請求項４】
前記リモコンは、前記ローテーション運転中に、運転中の前記室内機が異常停止したとき、停止中の前記室内機を運転するバックアップ運転機能を備えていることを特徴とする請求項１ないし３のいずれかに記載の空調システム。
【請求項５】
前記リモコンは、前記ローテーション運転中に、室内温度と設定温度の温度差が所定温度以上のとき、前記室内機の運転台数を順次増加し、前記温度差が減少するにつれ、前記室内機の運転台数を順次減少する能力バックアップ運転機能を備えていることを特徴とする請求項１ないし４のいずれかに記載の空調システム。
【請求項６】
前記リモコンは、複数台の前記室内機を適宜のゾーン毎にグルーピングし、グルーピングしたゾーン毎に前記ローテーション運転、前記バックアップ運転、前記能力バックアップ運転のいずれかの運転を行うグルーピング機能を備えていることを特徴とする請求項１ないし５のいずれかに記載の空調システム。
【発明の詳細な説明】
【技術分野】
【０００１】
本発明は、複数台の室内機が設置され、その複数台の室内機が１の共通リモコンにより運転制御されるタイプの空調システムに関するものである。
【背景技術】
【０００２】
室内に複数台の室内機を設置し、その複数台の室内機を１の共通リモコンにより運転制御するタイプの空調システムが知られている。このタイプの空調システムは、一般にリモコンにより運転をＯＮにすると、そのリモコンに接続されている全ての室内機が運転ＯＮするようになっている。このため、熱負荷が小さい場合でも、全ての室内機が運転ＯＮすることから非効率であった。また、大空間の一部しか使用していない場合でも、リモコンに接続されている全ての室内機が運転ＯＮするため、効率が悪かった。さらに、室温が設定温度に近づいても、全ての室内機が運転ＯＮ状態のため、設定温度をオーバーシュートして過剰に冷房されたり、暖房されたりすることから、安定した空調が行えなかった。
【０００３】
また、空調管理が必要な部屋では、常に運転している室内機の他に、その室内機が異常停止した場合を想定し、バックアップ運転可能な室内機を設置している。この場合、常時運転している室内機とバックアップ用の室内機との間に大きな運転時間差が生じ、製品寿命に偏りが発生してしまうという問題があった。
そこで、複数台の室内機をローテーションすることにより運転時間を平準化し、製品の長寿命化を図るようにしたものが、特許文献１により提示されている。
【先行技術文献】
【特許文献】
【０００４】
【特許文献１】特開２００８−１５７６０１号公報
【発明の概要】
【発明が解決しようとする課題】
【０００５】
上記特許文献１のものでは、定期的に運転する優先順位を切換えることによってローテーションを行い、運転時間の平準化を図っているが、優先順位の切換えのため、室外制御基板上に設けられているディップスイッチ等で構成されるＳＷの設定を、定期検査のタイミング等の一定時間毎に変更することにより、優先的に運転する室内機を変更し、運転時間の平準化を図っている。しかしながら、室外制御基板上のＳＷの設定変更を、サービスマン以外の一般ユーザーが行うことは実質的に困難であり、複数台の室内機を使用状態に合わせてユーザーが設定を変更してローテーション運転することは困難であった。
【０００６】
本発明は、このような事情に鑑みてなされたものであって、複数台の室内機が接続されている１の共通リモコンにより、複数台の室内機を適宜ローテーション運転することができる空調システムを提供することを目的とする。
【課題を解決するための手段】
【０００７】
上記した課題を解決するために、本発明の空調システムは、以下の手段を採用する。
すなわち、本発明にかかる空調システムは、複数台の室内機が設置され、その複数台の室内機が１の共通リモコンによって運転制御される空調システムにおいて、前記リモコンに、複数台の前記室内機を所定運転時間毎に順次ローテーション運転するローテーション運転制御部が設けられていることを特徴とする。
【０００８】
本発明によれば、複数台の室内機を１の共通リモコンによって運転制御する空調システムにおいて、リモコンに、複数台の室内機を所定運転時間毎に順次ローテーション運転するローテーション運転制御部が設けられているため、ユーザーによるリモコン上でのローテーション設定により、該リモコンに接続されている複数台の室内機を所定運転時間毎に順次ローテーション運転し、特定されたローテーション運転対象の室内機のみを順次運転して行くことができる。従って、複数台の室内機の運転時間を平均化し、各室内機の長寿命化を図ることができるとともに、リモコンによる簡易な操作によって熱負荷に見合った台数の室内機のみを順次ローテーション運転することにより、効率のよい運転を行うことができる。
【０００９】
さらに、本発明の空調システムは、上記の空調システムにおいて、前記ローテーション運転制御部は、設定された台数の前記室内機が交互にローテーション可能とされていることを特徴とする。
【００１０】
本発明によれば、ローテーション運転制御部は、設定された台数の室内機が交互にローテーション可能とされているため、リモコンに接続されている複数台の室内機を設定台数ずつ交互に運転切換えすることにより、設定された台数の室内機を順次ローテーション運転することができる。例えば、１のリモコンに４台の室内機が接続されている場合、所定運転時間毎に運転する室内機を１台あるいは２台ずつ交互に切換えて行くことにより、順次ローテーション運転することができ、これによって、複数台の室内機の運転時間を平均化し、各室内機の長寿命化を図ることができるとともに、熱負荷に対応した効率のよい運転を行うことができる。
【００１１】
さらに、本発明の空調システムは、上記の空調システムにおいて、前記ローテーション運転制御部は、前記ローテーション運転される前記室内機の最小運転台数が設定可能とされていることを特徴とする。
【００１２】
本発明によれば、ローテーション運転制御部は、ローテーション運転される室内機の最小運転台数が設定可能とされているため、リモコンに接続されている複数台の室内機の最小運転台数を設定し、その最小運転台数を維持しながら、所定運転時間が経過した室内機を順次停止中の室内機に切換えて行くことにより、複数台の室内機を順次ローテーション運転することができる。例えば、１のリモコンに４台の室内機が接続されている場合、室内機の最小運転台数を１台、２台あるいは３台に設定し、所定運転時間が経過した室内機から順次切換えて行くことにより、複数台の室内機を順次ローテーション運転することができ、これによって、複数台の室内機の運転時間を平均化し、各室内機の長寿命化を図ることができるとともに、熱負荷に対応した効率のよい運転を行うことができる。
【００１３】
さらに、本発明の空調システムは、上述のいずれかの空調システムにおいて、前記リモコンは、前記ローテーション運転中に、運転中の前記室内機が異常停止したとき、停止中の前記室内機を運転するバックアップ運転機能を備えていることを特徴とする。
【００１４】
本発明によれば、リモコンが、ローテーション運転中に、運転中の室内機が異常停止したとき、停止中の室内機を運転するバックアップ運転機能を備えているため、ローテーション運転中の室内機が何らかの原因で異常停止した場合でも、その室内機に換えて停止中の室内機をバックアップ運転することができる。従って、室内機の複数台接続のメリットを活かし、室内機の異常停止による空調フィーリングの悪化を防ぎ、快適性を維持することができる。
【００１５】
さらに、本発明の空調システムは、上述のいずれかの空調システムにおいて、前記リモコンは、前記ローテーション運転中に、室内温度と設定温度の温度差が所定温度以上のとき、前記室内機の運転台数を順次増加し、前記温度差が減少するにつれ、前記室内機の運転台数を順次減少する能力バックアップ運転機能を備えていることを特徴とする。
【００１６】
本発明によれば、リモコンが、ローテーション運転中に、室内温度と設定温度の温度差が所定温度以上のとき、室内機の運転台数を順次増加し、温度差が減少するにつれ、室内機の運転台数を順次減少する能力バックアップ運転機能を備えているため、室内の熱負荷が大きく、設定温度との温度差が大きい場合、ローテーション運転中でも室内機の運転台数を順次増加することで、室温を迅速に設定温度に近づけることができる。また、室温が設定温度に近づいた場合、室内機の運転台数を順次減少することにより、熱負荷に見合った台数で運転することができる。従って、複数台の室内機を熱負荷に見合った適正な台数で運転し、室内を素早く設定温度に空調することができるとともに、無駄な運転を排除して省エネ化を図ることができる。
【００１７】
さらに、本発明の空調システムは、上述のいずれかの空調システムにおいて、前記リモコンは、複数台の前記室内機を適宜のゾーン毎にグルーピングし、グルーピングしたゾーン毎に前記ローテーション運転、前記バックアップ運転、前記能力バックアップ運転のいずれかの運転を行うグルーピング機能を備えていることを特徴とする。
【００１８】
本発明によれば、リモコンが、複数台の室内機を適宜のゾーン毎にグルーピングし、グルーピングしたゾーン毎にローテーション運転、バックアップ運転、能力バックアップ運転のいずれかの運転を行うグルーピング機能を備えているため、１のリモコンに接続されている室内機を、例えば南側ゾーン、北側ゾーン、窓側ゾーン、内側ゾーン等の室内機に適宜グルーピングし、グルーピングされたゾーン毎の複数台の室内機を、ゾーン毎に適宜ローテーション運転、バックアップ運転、あるいは能力バックアップ運転することが可能となる。従って、ゾーン毎の状況に適合した最適なローテーション運転を行い、肌理の細かい快適な空調を実現することができる。
【発明の効果】
【００１９】
本発明によると、ユーザーによるリモコン上でのローテーション設定により、該リモコンに接続されている複数台の室内機を所定運転時間毎に順次ローテーション運転し、特定されたローテーション運転対象の室内機のみを順次運転して行くことができるため、複数台の室内機の運転時間を平均化し、各室内機の長寿命化を図ることができるとともに、リモコンによる簡易な操作によって熱負荷に見合った台数の室内機のみを順次ローテーション運転することにより、効率のよい運転を行うことができる。
【図面の簡単な説明】
【００２０】
【図１】本発明の第１実施形態に係る空調システムで、１部屋に２台の空気調和機を設置し、１の共通手元リモコンで運転制御する場合のシステム構成図である。
【図２】本発明の第２実施形態に係る空調システムで、１部屋に８台の空気調和機を設置し、１の共通手元リモコンで運転制御する場合のシステム構成図である。
【図３】図２の空調システムと同様、１部屋に８台の空気調和機を設置し、それを１の集中制御リモコンで運転制御する場合のシステム構成図である。
【図４】図２，図３に示す空調システムにおいて、８台の空気調和機を５０％運転で交互にローテーション運転した場合の説明図である。
【図５】上記空調システムに用いるリモコンの構成図である。
【図６】図１に示す空調システムをローテーション運転する場合のフローチャート図である。
【図７】図１に示す空調システムを能力バックアップ運転によりローテーション運転する場合のフローチャート図である。
【発明を実施するための形態】
【００２１】
以下に、本発明にかかる実施形態について、図面を参照して説明する。
［第１実施形態］
以下、本発明の第１実施形態について、図１および図５ないし図７を用いて説明する。
図１は、本発明の第１実施形態に係る空調システムのシステム構成図である。
本実施形態の空調システム１は、２台の空気調和機２Ａ，２Ｂを備え、それぞれの空気調和機２Ａ，２Ｂは、室外機３Ａ，３Ｂと室内機４Ａ，４Ｂとが冷媒配管５Ａ，５Ｂにより接続されたセパレート形空気調和機とされている。ここでの室内機３Ａ，３Ｂは、室内の天井に設置される天井埋込み型のユニットとされている。
【００２２】
この２台の空気調和機２Ａ，２Ｂは、１の共通手元リモコン（以下、単にリモコンという。）６により運転制御されるように、室内機４Ａ，４Ｂ同士がリモコン通信線７を介して接続されており、通常の状態では、リモコン６を操作することにより、２台の空気調和機２Ａ，２Ｂが同時に運転ＯＮされるようになっている。
【００２３】
リモコン６は、空気調和機２Ａ，２ＢのＯＮ／ＯＦＦや、運転モードの切換え、温度の設定、風量の設定、風向の設定等々の他に、図５に示されるように、複数台の空気調和機２Ａ，２Ｂ（室内機４Ａ，４Ｂ）をローテーション運転するローテーション運転制御部８を備えている。ここでのローテーション運転制御部８は、２台の室内機４Ａ，４Ｂ（空気調和機２Ａ，２Ｂ）の運転を所定運転時間毎に交互に切換えてローテーション運転する構成とされている。
【００２４】
また、リモコン６は、ローテーション運転しているときに、運転中の室内機、例えば４Ａが異常停止したとき、停止中の室内機４Ｂを運転するバックアップ運転制御部８を備えている。このバックアップ運転制御部９は、ローテーション運転中の室内機、例えば４Ａが何らかの原因で異常停止した場合でも、その室内機４Ａに換えて停止中の室内機４Ｂをバックアップ運転することにより、室内機４Ａの異常停止による空調フィーリングの悪化を防ぎ、快適性を維持するためのものである。
【００２５】
さらに、リモコン６は、ローテーション運転中において、室内温度と設定温度の温度差が所定温度以上のとき、室内機４Ａ，４Ｂ（空気調和機２Ａ，２Ｂ）の運転台数を順次増加し、温度差が減少するにつれ、室内機４Ａ，４Ｂ（空気調和機２Ａ，２Ｂ）の運転台数を順次減少する能力バックアップ運転制御部１０を備えている。この能力バックアップ運転制御部１０は、ローテーション運転中、室内の熱負荷が大きく、設定温度との温度差が大きい場合、例えば、運転中の室内機４Ａに加え、停止中の室内機４Ｂも運転して室内機の運転台数を増加することにより、室温を迅速に設定温度に近づけ、室温が設定温度に近づいた場合、室内機４Ｂの運転を停止して室内機の運転台数を減少することにより、負荷に見合った台数で運転し、室内を素早く設定温度に空調するためのものである。
【００２６】
上記したローテーション運転制御部８によるローテーション運転の制御フローの一例が図６に示されている。この例は、図１に示された室内機４Ａ，４Ｂが２台の場合のローテーション運転の例である。
ステップＳ１で、リモコン６により運転ＯＮとされると、ステップＳ２に進み、運転ユニットの決定が、アドレスＮＯ．のチェック（アドレスＮＯ．が一番若いか？）によって行われる。アドレスＮＯ．が若くなければ、ステップＳ３に進み、そのアドレスＮＯ．２のユニット（例えば、室内機４Ｂ）は運転ＯＦＦとされる。
【００２７】
アドレスＮＯ．が一番若ければ、ステップＳ４に進み、そのアドレスＮＯ．１のユニット（例えば、室内機４Ａ）が運転ＯＮとされる。その後、ステップＳ５に進み、リモコン運転ＯＮまたはＯＦＦが判定され、運転ＯＦＦであれば、ステップＳ６に進み、運転が停止される。なお、運転停止の状態から運転を開始する場合、停止前に運転していたユニットから順次運転を開始するものとする。ステップＳ５で運転ＯＮと判定されると、ステップＳ７に進み、ここで運転時間のチェックがされ、運転切換え時間に対する運転時間の達成状況がチェックされる。なお、各室内機４Ａ，４Ｂの運転時間は、図示されていない計時手段によって積算計時されているものとする。
【００２８】
ステップＳ７で運転切換え時間、すなわち予め定められている所定の運転時間に達していなければ、時間未達と判定され、ステップＳ５に戻る。一方、所定の運転時間に到達したと判定されると、ステップＳ８に進み、運転室内機の変更、すなわちアドレスＮＯ．１のユニット（室内機４Ａ）からアドレスＮＯ．２のユニット（室内機４Ｂ）への変更が実行される。これによって、室内機４Ａ，４Ｂが所定運転時間毎に交互に１台ずつローテーション運転されることになる。
【００２９】
また、ローテーション運転中における能力バックアップ運転制御部１０による能力バックアップ運転の制御フローの一例が図７に示されている。この例は、図１に示された室内機４Ａ，４Ｂが２台の場合の運転例である。
ステップＳ１１で、リモコン６により運転ＯＮとされると、ステップＳ１２に進み、運転ユニットの決定が、アドレスＮＯ．のチェック（アドレスＮＯ．が一番若いか？）によって行われる。アドレスＮＯ．が若くなければ、ステップＳ１３に進み、そのアドレスＮＯ．２のユニット（例えば、室内機４Ｂ）は運転ＯＦＦとされる。
【００３０】
アドレスＮＯ．が一番若ければ、ステップＳ１４に進み、そのアドレスＮＯ．１のユニット（例えば、室内機４Ａ）が運転ＯＮとされる。その後、ステップＳ１５に進み、予め設定されている一定時間が経過すると、ステップＳ１６に進み、設定温度Ｔｓと吸込温度Ｔａとの関係がチェックされる。このチェックは、
冷房時には、
（１）Ｔａ≧Ｔｓ＋Ｂ℃
（２）Ｔａ≦Ｔｓ＋Ａ℃
（３）Ｔｓ＋Ａ℃≦Ｔａ≦Ｔｓ＋Ｂ℃
のいずれかの判定であり、また、
暖房時には、
（４）Ｔａ≦Ｔｓ−Ｂ℃
（５）Ｔａ≧Ｔｓ−Ａ℃
（６）Ｔｓ−Ｂ℃≦Ｔａ≦Ｔｓ−Ａ℃
のいずれかの判定である。
【００３１】
冷房運転時、設定温度Ｔｓと吸込温度Ｔａとの関係が、上記（１）の如く、「Ｔａ≧Ｔｓ＋Ｂ℃」と判定されると、設定温度Ｔｓと室温との温度差が大きいと判断し、ステップＳ１７に進んで、停止中のアドレスＮＯ．２のユニット（例えば、室内機４Ｂ）を運転ＯＮとし、熱負荷に対応して室内機４Ａ，４Ｂの運転台数を増加する。その後、上記ステップＳ１５に戻る。また、設定温度Ｔｓと吸込温度Ｔａとの関係が、上記（２）の如く、「Ｔａ≦Ｔｓ＋Ａ℃」と判定されると、設定温度Ｔｓと室温との温度差が小さいと判断し、ステップＳ１８に進んで、ここでは、室内機４Ｂの運転をＯＦＦとし、室内機４Ａ，４Ｂの運転台数を減少した後、上記ステップＳ１５に戻る。
【００３２】
更に、設定温度Ｔｓと吸込温度Ｔａとの関係が、上記（３）の如く、「Ｔｓ＋Ａ℃≦Ｔａ≦Ｔｓ＋Ｂ℃」と判定されると、設定温度Ｔｓと室温との温度差がＢ℃とＡ℃との間にあると判断し、ステップＳ１９に進んで、室内機４Ａ，４Ｂの運転台数をその台数に保持した後、上記ステップＳ１５に戻る。これによって、室内機４Ａ，４Ｂを所定運転時間毎に交互に１台ずつローテーション運転しながら、熱負荷に対応して、室温と設定温度との温度差が大きい場合は、室内機４Ａ，４Ｂの運転台数を順次増加し、また温度差が減少した場合は、室内機４Ａ，４Ｂの運転台数を順次減少する能力バックアップ運転を実行することができる。
【００３３】
なお、暖房運転時においても、冷房運転時の場合と同様、設定温度Ｔｓと吸込温度Ｔａとの関係が、上記（４）の場合、室内機４Ａ，４Ｂの運転台数を順次増加し、上記（５）の場合、室内機４Ａ，４Ｂの運転台数を順次減少し、上記（６）の場合、室内機４Ａ，４Ｂの運転台数をその台数に保持することによって、能力バックアップ運転を実行することができる。
【００３４】
斯くして、本実施形態によれば、以下の作用効果を奏する。
室内に複数台の室内機４Ａ，４Ｂが設置され、その複数台の室内機４Ａ，４Ｂが１の共通リモコン６により運転制御可能に構成されている空調システム１において、リモコン６を操作してローテーション運転を設定することにより、そのローテーション運転制御部８を介して、２台の室内機４Ａ，４Ｂを所定運転時間毎に交互にローテーション運転することができる。
【００３５】
これによって、リモコン６に接続されている複数台の室内機４Ａ，４Ｂを所定運転時間毎に順次ローテーション運転し、特定されたローテーション運転対象の室内機４Ａ，４Ｂのみを順次交互に運転して行くことができる。従って、複数台の室内機４Ａ，４Ｂの運転時間を平均化し、各室内機４Ａ，４Ｂの長寿命化を図ることができるとともに、リモコン６による簡易な操作によって熱負荷に見合った台数の室内機４Ａ，４Ｂのみを順次ローテーション運転することにより、効率のよい運転を行うことができる。
【００３６】
また、上記リモコン６には、ローテーション運転制御部８によるローテーション運転中において、運転中の室内機４Ａまたは４Ｂが異常停止したとき、停止中の室内機４Ｂまたは４Ａを運転するバックアップ運転制御部９が設けられているため、ローテーション運転中の室内機４Ａまたは４Ｂが何らかの原因で異常停止した場合でも、異常停止した室内機４Ａまたは４Ｂに換えて停止中の室内機４Ｂまたは４Ａをバックアップ運転することができる。このため、室内機４Ａ，４Ｂの複数台接続のメリットを活かし、室内機４Ａ，４Ｂの異常停止による空調フィーリングの悪化を防ぎ、快適性を維持することができる。
【００３７】
さらに、本実施形態では、リモコン６に、ローテーション運転中、室温と設定温度Ｔｓとの温度差が所定温度以上のとき、室内機４Ａ，４Ｂの運転台数を順次増加し、温度差が減少するにつれ、室内機４Ａ，４Ｂの運転台数を順次減少する能力バックアップ運転制御部１０が設けられている。これにより、室内の熱負荷が大きく、室温と設定温度Ｔｓとの温度差が大きい場合、ローテーション運転中にも拘らず室内機４Ａ，４Ｂの運転台数を順次増加することで、室温を迅速に設定温度Ｔｓに近づけることができる。また、室温が設定温度Ｔｓに近づいた場合、室内機４Ａ，４Ｂの運転台数を減少することにより、熱負荷に見合った台数で運転することが可能となる。その結果、複数台の室内機４Ａ，４Ｂを熱負荷に見合った適正な台数で運転し、室内を素早く設定温度Ｔｓに空調することができるとともに、無駄な運転を排除して省エネ化を図ることができる。
【００３８】
［第２実施形態］
次に、本発明の第２実施形態について、図２ないし図５を用いて説明する。
本実施形態は、上記した第１実施形態に対して、大空間に多数台（本例では、８台）の空気調和機（室内機）を設置した空調システム１としている点が異なる。
図２に示した例は、８台の空気調和機２Ａないし２Ｈ（室内機４Ａないし４Ｈ）を１の共通手元リモコン（リモコン）６を介して運転制御するようにした空調システム１の例であり、図３に示した例は、８台の空気調和機２Ａないし２Ｈ（室内機４Ａないし４Ｈ）を１の集中制御リモコン（リモコン）６Ａにより、各室内機４Ａないし４Ｈ間を接続する渡り通信線７Ａを介して運転制御するようにした空調システム１の例である。
【００３９】
このように、室内機４Ａないし４Ｈの設置台数が多い場合、ローテーション運転制御部８を介してローテーション運転する方法として、以下の２通りのローテーション方法が考えられる。
［第１の方法］
複数台の室内機４Ａないし４Ｈを、所定運転時間毎に設定された台数ずつ交互にローテーション運転して行く方法である。この方法は、例えば、図４の（Ａ）ないし（Ｆ）に示されるように、複数台の室内機４Ａないし４Ｈの中の４台を設定台数とし、所定運転時間が経過する毎に設定台数ずつ交互にローテーションして行く方法であり、ローテーションする際には、温度分布むらができるだけ小さくなるように、様々なパターンでローテーションすればよい。なお、図４おいて、実線正方形の室内機は停止中、正方形の各辺に２点鎖線の台形が付いている室内機は運転中であることを示している。
【００４０】
［第２の方法］
ローテーション運転される室内機４Ａないし４Ｈの最小運転台数を設定し、その運転台数を維持しながら、所定運転時間が経過した室内機４Ａないし４Ｈを順次停止中の室内機４Ａないし４Ｈに切換え、複数台の室内機４Ａないし４Ｈを順次ローテーション運転する方法である。この場合、最小運転台数を、例えば２５％（２台）、５０％（４台）、７５％（６台）のように設定し、その台数を維持しながら、所定運転時間を経過した室内機を順次停止中のものと入れ換えてローテーションして行く方法である。なお、入れ換える停止中の室内機は、運転時間の少ない室内機から順次運転して行くことが運転時間を平準化する上で望ましい。
【００４１】
また、本実施形態においては、ローテーション運転中に、運転中の室内機４Ａないし４Ｈが異常停止したとき、停止中の室内機４Ａないし４Ｈを運転するバックアップ運転制御部９の機能、及びローテーション運転中に、室内温度と設定温度の温度差が所定温度以上のとき、室内機４Ａないし４Ｈの運転台数を順次増加し、温度差が減少するにつれ、室内機４Ａないし４Ｈの運転台数を順次減少する能力バックアップ運転制御部１０の機能をそのまま適用するとともに、１のリモコン６，６Ａに接続されている複数台の室内機４Ａないし４Ｈを適宜のゾーン毎にグルーピングし、グルーピングしたゾーン毎に上記のローテーション運転、バックアップ運転、能力バックアップ運転のいずれかの運転を行うグルーピング制御部１１を設けた構成としている。
【００４２】
グルーピング制御部１１は、例えば８台の室内機４Ａないし４Ｈを南側ゾーン、北側ゾーン、窓側ゾーン、内側ゾーン等の室内機４Ａないし４Ｈに適宜グルーピングし、グルーピングされたゾーン毎の複数台の室内機４Ａないし４Ｈを、ゾーン毎に適宜ローテーション運転、バックアップ運転、あるいは能力バックアップ運転することを可能とするものである。例えば８台の室内機４Ａないし４Ｈを、北側ゾーンの室内機４Ａないし４Ｄと、南側ゾーンの室内機４Ｅないし４Ｈとの２つのグループにグルーピングし、北側ゾーンの４台の室内機４Ａないし４Ｄと、南側ゾーンの４台の室内機４Ｅないし４Ｈとを、ゾーン毎の状況に合わせて個別にローテーション運転、バックアップ運転、あるいは能力バックアップ運転できるようにするものである。
【００４３】
斯くして、本実施形態によれば、１のリモコン６，６Ａに接続された複数台の室内機４Ａないし４Ｈを、所定運転時間毎に設定台数ずつ交互に順次ローテーション運転し、あるいはローテーション運転される室内機４Ａないし４Ｈの最小運転台数を設定して、その最小運転台数を維持しながら、所定運転時間が経過した室内機４Ａないし４Ｈを順次停止中の室内機４Ａないし４Ｈに切換えて行くことにより、複数台の室内機４Ａないし４Ｈを順次ローテーション運転することができるため、第１実施形態と同様、複数台の室内機４Ａないし４Ｈの運転時間を平均化して、各室内機４Ａないし４Ｈの長寿命化を図ることができるとともに、熱負荷に対応した効率のよい運転を行うことができる。
【００４４】
また、リモコン６，６Ａに、ローテーション運転制御部８、バックアップ運転制御部９および能力バックアップ運転制御部１０の他に、グルーピング制御部１１を設け、複数台の室内機４Ａないし４Ｈを適宜のゾーン毎にグルーピングし、グルーピングしたゾーン毎に個別にローテーション運転、バックアップ運転、能力バックアップ運転のいずれかの運転を行えるようにしているため、１のリモコン６，６Ａに接続されている複数台の室内機４Ａないし４Ｈを適宜のゾーン毎にグルーピングし、グルーピングされたゾーン毎の複数台の室内機４Ａないし４Ｈを、ゾーン毎に個別に適宜ローテーション運転、バックアップ運転、あるいは能力バックアップ運転することによって、ゾーン毎の状況に適合した最適なローテーション運転を行い、肌理の細かい快適な空調を実現することができる。
【００４５】
なお、本発明は、上記実施形態にかかる発明に限定されるものではなく、その要旨を逸脱しない範囲において、適宜変形が可能である。例えば、上記実施形態では、全ての空気調和機２Ａないし２Ｈを、室外機３Ａないし３Ｈと室内機４Ａないし４Ｈとが１対１で対応するシングルタイプの空気調和機とした空調システム１の例について説明したが、１台の室外機に複数台の室内機を接続したマルチタイプの空気調和機が混在、あるいはマルチタイプの空気調和機を複数台設置した空調システムにも同様に適用できることは云うまでもない。
【００４６】
また、リモコン６，６Ａについては、集中リモコン、ワイヤレスリモコン、ワイヤードリモコンのいずれであってもよい。さらに、複数台の室内機を順次ローテーション運転する際の交互に運転する設定台数や最小運転台数は、上記実施形態の例に限定されるものではなく、任意の台数に設定できることはもちろんである。
【符号の説明】
【００４７】
１  空調システム
２Ａないし２Ｈ  空気調和機
４Ａないし４Ｈ  室内機
６，６Ａ  リモコン
８  ローテーション運転制御部
９  バックアップ運転制御部
１０  能力バックアップ運転制御部
１１  グルーピング制御部
【図１】
2013160477.tif 000003
【図２】
2013160477.tif 000004
【図３】
2013160477.tif 000005
【図４】
2013160477.tif 000006
【図５】
2013160477.tif 000007
【図６】
2013160477.tif 000008
【図７】
2013160477.tif 000009